(57)【要約】      （修正有）【課題】製氷後の球形氷の取り出しが容易に、手早くできる球形氷製造容器の提供。【解決手段】有底筒状の外カップ内に収納される有底円筒状の内カップの上端から外鍔周片を介して外装筒を立設した内カップ体の底部に複数個の小孔と、頂部に空気孔を形成し、球殻内に第１製氷室が形成され、球殻を内カップ体上部内に収納し、内カップと下半球殻により第２製氷室が形成される構成とすること、突条片を使っての上半球殻と下半球殻の相対回動における、ガイド突片および摺接突片の少なくとも一方の突片に形成された傾斜面と他方の突片の摺動による、上半球殻と下半球殻との脱嵌合を可能に構成すること、にある。【選択図】              図１
2004183929.tif 000002
【特許請求の範囲】
【請求項１】
有底筒状の外カップ（２７）と、該外カップ（２７）の上端部に組付き、該外カップ（２７）内に収納される有底円筒状の内カップ（２２）の上端から外鍔周片（２３）を介して外装筒（２４）を立設した内カップ体（２１）と、底部に複数個の小孔（１３）を形成した下半球殻（１２）の上周端から、上面にガイド突片（１８ａ）を突設した下部フランジ（１８）を周設した球殻下部（１１）と、頂部に空気孔（３）を形成し、前記下半球殻（１２）と回動可能にアンダーカット状に密嵌合して球殻（９）を形成する上半球殻（２）の外表面に、複数の突条片（８）を立設し、該突条片（８）の下端の下方位置から外鍔状に上部フランジ（６）を周設し、該上部フランジ（６）の下面に摺接突片（６ａ）を突設した球殻上部（１）を有し、前記外カップ（２７）の上端面に前記外鍔周片（２３）の下面を当接させ、前記内カップ（２２）を外カップ（２７）内に収納した状態で、内カップ（２２）の側面と底部を囲う空気層（３３）が形成され、前記球殻（９）内に第１製氷室（３１）が形成され、前記球殻（９）を前記内カップ体（２１）上部内に収納し、前記内カップ（２２）と前記下半球殻（１２）により第２製氷室（３２）が形成される構成とし、前記突条片（８）を使っての上半球殻（２）と下半球殻（１２）の相対回動における、前記ガイド突片（１８ａ）および摺接突片（６ａ）の少なくとも一方の突片に形成された傾斜面と他方の突片の摺動による、上半球殻（２）と下半球殻（１２）との脱嵌合を可能に構成した球形氷製造容器。
【請求項２】
内カップ（２２）の底部底面に、該底面の周縁を基端として内カップ（２２）内に向かって底凹部（２６）を形成し、該底凹部（２６）外表面に前記上半球殻（２）に立設された突条片（８）に嵌合する底嵌合部（２６ａ）を形成し、内カップ（２２）の底部を前記球殻（９）の上方から被せ、前記突条片（８）と底嵌合部（２６ａ）を嵌合させた状態での内カップ（２２）の円筒軸周りの回動により、上半球殻（２）を回動する構成とした、請求項１記載の球形氷製造容器。
【請求項３】
複数の突条片（８）を空気孔（３）を中心に放射状に立設し、底凹部（２６）の頂部から、前記複数の突条片（８）にそれぞれ嵌合する複数の嵌合凹部（２６ｂ）を放射状に形成し、底嵌合部（２６ａ）とした請求項１または２記載の球形氷製造容器。
【請求項４】
球殻下部（１１）に下部フランジ（１８）を介して内側筒（１７）を立設し、該内側筒（１７）の上端に上端外鍔片（１９）を周設し、外装筒（２４）に前記内側筒（１７）を内接し、前記上端外鍔片（１９）の下面を外装筒（２４）の上端面に当接させた状態で、球殻（９）を内カップ体（２１）上部内に収納する構成とした、請求項１、２または３記載の球形氷製造容器。
【発明の詳細な説明】
【０００１】
【発明の属する技術分野】
本発明は、一般的な家庭用冷凍庫にて球形のオンザロック用透明氷を形成するための容器に関する。
【０００２】
【従来の技術】
従来、一般的な家庭用冷凍庫で製氷するには冷凍庫に付属している製氷皿を使用する。この製氷皿は金属または合成樹脂製であり内に仕切りを入れて略立方体の氷を作るのが常であった。しかしこのような製氷皿で作られる氷が透明にならず気泡が氷中に残り多くの場合白濁してしまう。
【０００３】
オンザロック用の気泡の無い透明な球形氷を作るための従来技術として特許文献１には、製氷外皿が有する断熱材と空気層によって製氷器の上方より結氷を始めさせ、製氷内皿と上蓋にて形成される第１製氷室で透明な氷を精製した後、小孔を通して第２製氷室に白濁した空気の泡を閉じ込めて結氷させ、その後第１製氷室にて精製された透明なオンザロック用の氷を取り出す製氷器についての記載がある。
【０００４】
また、非特許文献１には球形氷を作るための容器についての記載があり、その形状および構造の概容を図８、図９に示した。
この容器は有底円筒状の外カップ２７’、内カップ体２１’、球殻下部１１’および球殻上部１’の部材から構成され、これらの部材の組付けにより球形の第１製氷室３１’と、その下に第２製氷室３２’、この第２製氷室３２’の側面、底面を囲う空気層３３’を形成し、第１製氷室３１’および第２製氷室３２’に水を満たして冷凍庫内で凍らせるものである。
【０００５】
空気層３３’を設けることにより、第１製氷室３１’の上部より結氷が始まり、結氷は徐々に下方へと進行するが、水中に含まれる気泡は結氷による体積膨張により未結氷の水に伴って球殻下部１１’の下半球殻１２’の底部に開口した小孔１３’を通過して第２製氷室３２’に移動する、この結果、最も遅れて結氷する第２製氷室３２’の略中央部分は気泡３４’で白濁した状態となる。
【０００６】
そして、嵌合部（係止周条１６’と係止周片４’）により組付けた球殻下部１１’と球殻上部１’を、球殻上部１’に付設した摘み片７等’を利用して球殻下部１１’と球殻上部１’を相対的に回動させたりしながら、分解して球形氷を取り出して使用する。
【０００７】
【特許文献１】
特開２００２−１５６１７３号公報
【非特許文献１】
サントリー株式会社、“ＳＵＮＴＯＲＹ  ＷＨＩＳＫＹ  善／透明まんまる氷製氷器Ｑ＆Ａ”、〔平成１４年１１月１日検索〕、インターネット＜ＵＲＬ：ｈｔｔｐ／／ｗｗｗ．ｓｕｎｔｏｒｙ．ｃｏ．ｊｐ／ｗｈｉｓｋｙ／ｚｅｎ／ｓａｉｊｉｋｉ／ｍａｎｍａｒｕ／ｑａｎｄａ２／ｉｎｄｅｘ．ｈｔｍｌ＞
【０００８】
【発明が解決しようとする課題】
しかしながら、上記図８、９に示した容器においては、嵌合部でのアンダーカット状に組付いている球殻上部と球殻下部とを容易に引き離す手段が無く、このため嵌合部等の隙間での氷結、あるいは上半球殻あるいは下半球殻と球形氷との氷結を十分解除する必要があり、何度も水を懸けたり、数分間放置したりするため、手間と時間を要すると共に、力を要した。
【０００９】
そこで、本発明は、上記した従来技術における問題点を解消すべく創案されたもので、製氷後の球形氷の取り出しが容易に、手早くできる球形氷製造容器の提供を目的とする。
【００１０】
【課題を解決するための手段】
上記技術的課題を解決する本発明の内、請求項１記載の発明の手段は、
有底筒状の外カップを有すること、
外カップの上端部に組付き、この外カップ内に収納される有底円筒状の内カップの上端から外鍔周片を介して外装筒を立設した内カップ体を有すること、
底部に複数個の小孔を形成した下半球殻の上周端から、上面にガイド突片を突設した下部フランジを周設した球殻下部を有すること、
頂部に空気孔を形成し、下半球殻と回動可能にアンダーカット状に密嵌合して球殻を形成する上半球殻の外表面に、複数の突条片を立設し、この突条片の下端の下方位置から外鍔状に上部フランジを周設し、この上部フランジの下面に摺接突片を突設した球殻上部を有すること、
外カップの上端面に外鍔周片の下面を当接させ、内カップを外カップ内に収納した状態で、内カップの側面と底部を囲う空気層が形成され、球殻内に第１製氷室が形成され、球殻を内カップ体上部内に収納し、内カップと下半球殻により第２製氷室が形成される構成とすること、
突条片を使っての上半球殻と下半球殻の相対回動における、ガイド突片および摺接突片の少なくとも一方の突片に形成された傾斜面と他方の突片の摺動による、上半球殻と下半球殻との脱嵌合を可能に構成すること、
にある。
【００１１】
請求項１記載の上記構成の容器は、球殻上部、球殻下部、内カップ体および外カップの部材を有し、下に示すような手順で各部材を組付け、水を入れ球形氷を製造する容器として使用される。
すなわち、
１．外カップの上端面に外鍔周片の下面を当接させた状態で、内カップを外カップ内に収納し、この内カップの上部に立設された外装筒の上まで水を入れる。
２．球殻上部と球殻下部を回動可能にアンダーカット状に密嵌合組付けし、上半球殻と下半球殻で球殻を形成、球形の第１製氷室を形成する。この際上半球殻の上部フランジ片の下面に突設された摺接突片と下半球殻の下部フランジの上面に突設されたガイド突片の位置を少しずらした状態としておく。
３．１．の水の入った内カップ体内に、２．の球殻をゆっくり止まるまで押し込む。
４．水は主として、上半球殻の頂部に形成された空気孔から空気を逃がしながら、下半球殻の底部に形成された小孔を通して、球殻内部（第１製氷室）を満たす。
【００１２】
上記のように各部材を組付け、水を入れた状態で冷凍庫内に設置すると、内カップの側面および底部を囲む空気層の作用効果により、第１製氷室の上部より結氷が始まり、結氷は徐々に下方へと進行するが、水中に含まれる気泡は結氷による体積膨張により未結氷の水に伴って下半球殻の小孔を通過して第２製氷室に移動する、この結果、最も遅れて結氷する第２製氷室の略中央部分は気泡で白濁した状態となるが、第１製氷室では気泡のない透明で球形の氷が形成される。
【００１３】
なお、結氷の進行に従って体積が膨張するが第１製氷室では主として水が小孔から第２製氷室に流出し、第２製氷室では球殻が内カップ体内で若干上に移動することによりこの体積膨張分が吸収される。
【００１４】
次に第１製氷室に形成された球形氷の取り出しは、容器から外カップを取り外し、全体に軽く水をかけ第２製氷室の氷と共に内カップ体を取り外す。
【００１５】
次に球殻下部から球殻上部を取り外すが、従来の容器では球殻上部と球殻下部との嵌合部を容易に外す手段が無く、嵌合部等の隙間における氷結、上半球殻あるいは下半球殻と球形氷との氷結を十分解除するため、何度も水を懸けたり、数分間放置したりして手間と時間を要すると共に力を要した。
【００１６】
第１請求項の構成では、上半球殻の外表面に立設された複数の突条片を使って上半球殻と下半球殻の嵌合部を相対回動させることにより、球殻下部の下部フランジの上面に突設されたガイド突片および球殻上部の上部フランジの下面に突設された摺接突片が当接し、さらなる回動により少なくとも一方の突片に形成された傾斜面に他方の突片の一部が摺接、傾斜面を移動することにより、上半球殻と下半球殻とを上下に引き離す力が作用し、容易に球殻上部と球殻下部の脱嵌合を達成することができる。
【００１７】
なお本請求項では、ガイド突片および摺接突片の少なくとも一方の突片に形成された傾斜面と他方の突片の摺動による、上半球殻と下半球殻との脱嵌合を可能に構成するとしているが、一方の突片に傾斜面を形成することもできるし、両方の突片に傾斜面を形成、一方の傾斜面に他方の傾斜面を摺動させることもできる。
【００１８】
請求項２記載の発明の手段は、請求項１記載の発明において、
内カップの底部底面に、この底面の周縁を基端として内カップ内に向かって底凹部を形成し、この底凹部外表面に前記上半球殻に立設された突条片に嵌合する底嵌合部を形成すること、
内カップの底部を球殻の上方から被せ、突条片と底嵌合部を嵌合させた状態での内カップの円筒軸周りの回動により、上半球殻を回動する構成としたこと、
にある。
【００１９】
請求項２記載の上記構成により、内カップの底部を上半球核の上方から被せ、この底部に形成された底嵌合部と、上半球殻の頂部の複数の突条片とを嵌合させた状態で、内カップ体の胴部を手で掴持して内カップ体の胴部を回動するので、一部の指だけでなく胴部を利用して掌全体で掴んで回動ができ、回転トルクを大きくすることができると共に、突片の傾斜面の作用により、この大きな回転トルクを摺接突片とガイド突片の摺動部分で上半球殻と下半球殻を上下に引っ張る力に変換することができ、比較的小さな力で容易に短時間に嵌合部を外すことができる。
【００２０】
請求項３記載の発明の手段は、請求項１または２記載の発明において、複数の突条片を空気孔を中心に放射状に立設し、底凹部の頂部から、これら複数の突条片にそれぞれ嵌合する複数の嵌合凹部を放射状に形成し、底嵌合部とすること、にある。
【００２１】
請求項３記載の上記構成により、放射状に形成された突条片と嵌合凹部をそれぞれ嵌合させることにより上半球殻上部への内カップ底部の嵌合を容易にかつ確実に達成できると共に、底凹部に放射線状に複数の嵌合凹部を形成することにより、この嵌合凹部がリブとしての作用を発揮して内カップの底部の強度を大きくすることができ、内カップの底部を利用した回動操作を確実に実施することができる。
【００２２】
請求項４記載の発明の手段は、請求項１、２または３記載の発明において、
球殻下部に外鍔周片を介して内側筒を立設し、この内側筒の上端に上端外鍔片を周設すること、
外装筒に内側筒を内接し、上端外鍔片の下面を外装筒の上端面に当接させた状態で、球殻を内カップ体上部内に収納する構成とすること、
にある。
【００２３】
請求項４記載の上記構成により、外装筒の上端面と上端外鍔片の当接により挿入限界を決めることができると共に、外装筒に内側筒を内接させながら球殻を内カップ体へスムーズに挿入し組付けることができる。
【００２４】
【発明の実施の形態】
以下、本発明の一実施例を、図面を参照しながら説明する。
図１〜７は本願発明の球形氷製造容器の一実施例を示し、本実施例の容器は外カップ２７、内カップ体２１、球殻下部１１および球殻上部１の５つの部材から構成される。
【００２５】
外カップ２７は有底円筒状であり、内カップ体２１は外カップ２７に比較して高さ、胴部の径が共に小さい有底円筒状の内カップ２２の上端に外鍔周片２３を介して外装筒２４を立設し、さらに外鍔周片２３の下面、周縁直近から外カップ２７の上端部に嵌入する嵌入筒片２５を垂下設した構成である。
【００２６】
また内カップ２２の底部底面には、底面の周縁を基端として内カップ２２内に向かって底凹部２６を形成しており、この底凹部２６外表面には頂部から、後述する上半球殻２の上部に立設された複数の突条片８にそれぞれ嵌合する、底嵌合部２６ａの一形態である複数の嵌合凹部２６ｂを放射状に形成している。（特に図５参照）
【００２７】
球殻下部１１は、底部に複数の小孔１３を形成した下半球殻１２を有し、この下半球殻１２の上端周縁から外鍔片１４を介して内面に係止周状１６を形成し、内カップ２２の上端部に緩やかに内接する係止筒片１５を立設し、さらにこの係止筒片１５の上端から下部フランジ１８を介して内カップ体２１の外装筒２４に緩やかに内接する内側筒１７を立設し、この内側筒１７の上端に外鍔状に上端外鍔片１９を付設した構成である。
【００２８】
また、下部フランジ１８の上面には、傾斜面１８ｂを有した４ケの断面が３角形状のガイド突片１８ａが、等中心角に配置されている。（特には図１、３、７参照）
【００２９】
球殻上部１は、頂部に空気孔３を形成した上半球殻２を有し、この上半球殻２の外表面下端周縁には、球殻下部１１の係止周状１６に係止する係止周片４が周設され、また空気孔３の周縁には内カップ体の底凹部２６との嵌合の一部をなすように嵌合筒片８ａが立設され、またこの嵌合筒片８ａから、等中心角度で、放射状に下方に向かって４ケの突条片８が立設され、さらにこの突条片８の下端位置には上部フランジ６が周接された構成である。
【００３０】
また、上記上部フランジ６の下面の、突条片８の下端面に近接して対向する位置に、下部フランジ１８の４ケのガイド突片１８ａに対応して等中心角度に、４ケの断面が台形状の摺接突片６ａを突設している。
【００３１】
次に製氷に使用する際の組み立て手順の一例を示す。
嵌入筒片２５を外カップ２７の上端部に嵌入させ、外鍔周片２３の周縁部を上端面に当接させ、内カップ２２を内部に収納させた状態で、外カップ２７に内カップ体２１を組み付け、外装筒２４の上まで内カップ体２１内に水を入れる。
この際内カップ２２の側面および底部を囲むようにして空気層３３が形成される。
【００３２】
球殻上部１と球殻下部１１を係止周片４と係止周状１６によりアンダーカット状に回動可能に密に組付け、上半球殻２と下半球殻１２で球殻９を形成し、その内部が球形の第１製氷室３１となる。
【００３３】
上記球殻上部１と球殻下部１１の組み立てに際して、４ケの突条片８の位置をそれぞれ下部フランジ１８のガイド突片１８ａの位置に略合わせて嵌合させる。このことにより、嵌合状態で上部フランジ６の摺接突片６ａはガイド突片１８ａに略隣接して位置させることができ、後述する回動操作に際しての回動距離を小さくすることができる。
【００３４】
次に、水の入った内カップ体２１内の上部に、球殻９をゆっくり押し込む。この際、球殻下部１１の上端外鍔片１９が、内カップ体２１の外装筒２４の上端面に当接し、押し込み限界位置が決まり、球殻９を内カップ体２１の上部内に位置させると共に、下半球殻１２の下に第２製氷室３２を形成する。
【００３５】
また外装筒２４に内側筒１７を緩やかに内接させながら押し込むことにより押し込みの位置決めができ、スムーズな押し込みが可能となる。
【００３６】
上記の押し込みの過程で、水は上半球殻２の頂部に形成された空気孔３から空気を逃がしながら、主として下半球殻１２の底部に形成された小孔１３を通して第１製氷室に浸入して、球殻９内部を満たす。
【００３７】
上記のように各部材を組付け、水を入れた状態で冷凍庫内に容器を設置すると、内カップ２２の側面および底部を囲む空気層３３の作用効果により、第１製氷室３１の上部より結氷が始まり、結氷は徐々に下方へと進行するが、水中に含まれる気泡は結氷による体積膨張により未結氷の水に伴って下半球殻１２の小孔１３を通過して第２製氷室３２に移動し、この結果、最も遅れて結氷する第２製氷室３２の略中央部分は気泡３４で白濁した状態となるが、第１製氷室３１では気泡のない透明で球形の氷が形成される。
【００３８】
なお、第２製氷室３２では球殻９全体が内カップ体２２内で上部に移動することにより結氷による体積膨張分を吸収する。
【００３９】
次に第１製氷室３１に形成された球形氷の取り出しは、容器から外カップ２７を取り外し、全体に水をかけ第２製氷室３２の氷と共に内カップ体２１を取り外す。
【００４０】
次に、取り外した内カップ体２１の内カップ２２の底部の底凹部２６を上半球殻２の上方から被せる様にして、突条片８と嵌合凹部２６ｂを嵌合させた状態で、一方の掌で球殻下部１１を掴持し、他方の掌で内カップ２２の胴部を掴持して回動させる。（図６中の白抜き矢印参照）
【００４１】
上記回動により、ガイド突片１８ａと摺接突片６ａが当接、さらにガイド突片１８ａの傾斜面１８ｂに沿って摺接突片６ａの当接縁６ａ１が摺動し、最終的には摺接突片６ａがガイド突片１８ａの頂部に乗り上げる。（特に図６、７参照）
【００４２】
上記のような、摺動の結果上部フランジ６と下部フランジ１８を上下に引き離す力が作用して球殻上部１と球殻下部１１の脱嵌合を達成することができるが、内カップ体２１の胴部を回動するので、一部の指だけでなく胴部を利用して掌全体で掴んで回動ができ、回転トルクを大きくすることができると共に、ガイド突片１８ａの傾斜面１８ｂの作用により、この大きな回転トルクを摺接突片６ａとガイド突片１８ａの摺動部分で上半球殻１と下半球殻１１を上下に引っ張る力に変換することができ、比較的小さな力で容易に短時間に嵌合部を外すことができる。
【００４３】
なお、本一実施例ではガイド突片１８ａの断面形状を三角形、また摺接突片６ａの断面形状を台形としており、回動の方向に係わらず上記傾斜面１８ｂの作用効果が発揮できるようしているが、本発明における両突片による作用効果は本一実施例の形状に限定されるものでなく、傾斜面は摺接突片６ａに形成することもでき、さらには両突片の双方に形成することもできる。
【００４４】
また、上記一実施例では摺接突片６ａを、上部フランジ６の下面の、突条片８の下端面に近接して対向する位置に突設した構成としているが、このことにより傾斜面１８ｂに沿っての摺動動作の際における上部フランジ６の変形を突条片８の下端面の支持により抑制することができ、回動、引き離し操作を確実に達成することができる。
【００４５】
また、上記一実施例では、等中心角度に４ケの摺接突片、ガイド突片を配置して嵌合部全体を均等に引き離すようにしているが、たとえば突片を１ケづつにして１箇所だけを引き離したほうが容易に引き離し操作を実施できる場合もあり、突片の配置個数、配置位置は突片の形状、傾斜面の傾斜角度と共に使用目的、使用される状態に合わせて設計的事項として適宜設定することができる。
【００４６】
また、突条片８および底嵌合部２６ａの形状は、本一実施例に限定されるもので無く、嵌合性、容器の外観等も考慮して選択することができる。
【００４７】
【発明の効果】
本発明は、上記した構成となっているので、以下に示す効果を奏する。
請求項１記載の発明にあっては、複数の突条片を使って上半球殻と下半球殻の嵌合部を相対回動させることにより、突片の傾斜面の作用により、この回転トルクを上半球殻と下半球殻を上下に引っ張る力に変換することができ、比較的小さな力で容易に短時間に嵌合部を外すことができる。
【００４８】
請求項２記載の発明にあっては、内カップ体の胴部を回動するので、一部の指だけでなく胴部を利用して掌全体で掴んで回動ができ、回転トルクを大きくすることができ、より容易に短時間に嵌合部を外すことができる。
【００４９】
請求項３記載の発明にあっては、放射状に形成された複数の突条片と嵌合凹部をそれぞれ嵌合させることにより上半球殻上部への内カップ底部の嵌合を容易かつ確実に達成できると共に、底凹部に放射線状に複数の嵌合凹部を形成することにより、この嵌合凹部がリブとしての作用を発揮して内カップの底部の強度を大きくすることができ、内カップの底部を利用した回動操作をより確実に実施することができる。
【００５０】
請求項４記載の発明にあっては、外装筒の上端面と上端外鍔片の当接により挿入限界を決めることができると共に、外装筒に内側筒を内接させながら球殻を内カップ体へスムーズに挿入し、組付けることができる。
【図面の簡単な説明】
【図１】本発明の容器の一実施例を図２におけるＡ−Ａ’線に沿って示す、縦断正面図。
【図２】図１に示した実施例の、上面図。
【図３】図１に示した実施例の球殻上部および球殻下部を示す、斜視図。
【図４】図１に示した実施例の内カップ体を示す、斜視図。
【図５】図４の内カップ体の底部を斜め下方から見た、部分斜視図。
【図６】図１に示した実施例において、球殻の上部にカップ体の底凹部を嵌合した状態を縦断して示す、説明図。
【図７】図１に示した実施例において、嵌合突片とガイド突片の位置関係を要部拡大縦断して示す、説明図。
【図８】従来例を示す、（ａ）上面図、および（ｂ）縦断正面図。
【図９】図８に示した従来例の球殻上部、球殻下部および内カップ体を斜視図で示す、分解説明図。
【符号の説明】
１、１’；  球殻上部
２；  上半球殻
３；  空気孔
４、４’；  係止周片
６；  上部フランジ
６ａ；  摺接突片
６ａ１；  当接縁
７’；  摘み片
８；  突条片
８ａ；  嵌合筒片
９；  球殻
１１、１１’；  球殻下部
１２、１２’；  下半球殻
１３、１３’；  小孔
１４；  外鍔片
１５；  係止筒片
１６、１６’；  係止周条
１７；  内側筒
１８；  下部フランジ
１８ａ；  ガイド突片
１８ｂ；  傾斜面
１９；  上端外鍔片
２１、２１’；  内カップ体
２２；  内カップ
２３；  外鍔周片
２４；  外装筒
２５；  嵌入筒片
２６；  底凹部
２６ａ；  底嵌合部
２６ｂ；  嵌合凹部
２７、２７’；  外カップ
３１、３１’；  第１製氷室
３２、３２’；  第２製氷室
３３、３３’；  空気層
３４、３４’；  気泡
【図１】
2004183929.tif 000003
【図２】
2004183929.tif 000004
【図３】
2004183929.tif 000005
【図４】
2004183929.tif 000006
【図５】
2004183929.tif 000007
【図６】
2004183929.tif 000008
【図７】
2004183929.tif 000009
【図８】
2004183929.tif 000010
【図９】
2004183929.tif 000011